(57)【要約】【課題】ゴルフボールを捕捉する機能と、ゴルフボールを跳ね返す機能とを兼ね備え、狭いスペースであっても用いることができ、且つ持ち運びも容易な的具を提供すること。【解決手段】本発明は、パター練習用の的具１００であって、ボールを捕捉するボール捕捉部１０と、該ボール捕捉部１０の側面に起立して設けられたボール当て部２０と、を備える的具１００である。そして、前記ボール捕捉部１０及び前記ボール当て部２０が、ゴム部材によって一体に形成されており、金属板Ｍが挿入されている。【選択図】図１
2012090738.tif 000002
【特許請求の範囲】
【請求項１】
パター練習用の的具であって、
ボールを捕捉するボール捕捉部と、
該ボール捕捉部の側面に起立して設けられたボール当て部と、
を備える的具。
【請求項２】
前記ボール捕捉部及び前記ボール当て部が、ゴム部材によって一体に形成されており、
前記ボール当て部の内部には、金属板が挿入されている請求項１記載の的具。
【請求項３】
前記ボールを効率良く跳ね返らせるために前記金属板が露出している請求項２記載の的具。
【請求項４】
前記ボール捕捉部が、基部と、該基部の略中央に設けられた底部と、該底部の周縁に起立して設けられた囲み壁部と、からなり、
該囲み壁部が切り欠き状の入り口を有し、
該入り口の側が低くなるように前記底部の少なくとも一部が傾斜しており、
前記基部の側面に前記ボール当て部が起立して設けられており、
前記基部の前記ボール当て部の反対側の周縁が外側に向かって傾斜している請求項１〜３のいずれか一項に記載の的具。
【請求項５】
前記底部の傾斜角度よりも前記基部の周縁の傾斜角度が大きい請求項４記載の的具。
【請求項６】
前記ボール当て部の側面が上面視弓状になっている請求項１〜５のいずれか一項に記載の的具。
【請求項７】
前記ボール当て部には、ゴルフボールを当てる面の幅を決めるスライド自在な一対の区画片が設けられている請求項１〜６のいずれか一項に記載の的具。
【請求項８】
前記金属板が着脱可能になっている請求項２又は３に記載の的具。
【発明の詳細な説明】
【技術分野】
【０００１】
本発明は、ゴルフ練習具である的具に関し、更に詳しくは、ゴルフボールを穴に捕捉する機能と、ゴルフボールを跳ね返す機能とを兼ね備えるパター練習用の的具に関する。
【背景技術】
【０００２】
ゴルフ場のグリーンを想定して室内で練習できる簡便なゴルフパットの的具が知られている。
近年、かかる的具としては、ゴルフボールを穴に捕捉するタイプの的具やゴルフボールを跳ね返すタイプの的具が開発されている。
【０００３】
例えば、前者のゴルフボールを穴に捕捉するタイプの的具としては、上面が傾斜しているベース部材と、ベース部材の上面に積載された回動部材と、回動部材の上面に回動可能に積載された回動盤と、を備え、回動盤の上面に人工芝と、ボールが落下する孔が形成されたゴルフパット練習台（的具）が知られている（例えば、特許文献１参照）。
また、平坦面と傾斜面とを備え、平坦面にホールを兼ねるボールのリターンのための第１ボール誘導凹溝が形成され、第１ボール誘導凹溝には植毛層が形成されているパター練習台（的具）が知られている（例えば、特許文献２参照）。
【０００４】
一方、後者のゴルフボールを跳ね返すタイプの的具としては、前部側及び後部側を有する枠体と、前部側の前端に位置する弾性的反撥部材とを含むパター練習具（的具）が知られている（例えば、特許文献３参照）。
【先行技術文献】
【特許文献】
【０００５】
【特許文献１】特開平１１−２４４４４２号公報
【特許文献２】特開２００７−１３０３４０号公報
【特許文献３】特開２００９−１８９５８７号公報
【発明の概要】
【発明が解決しようとする課題】
【０００６】
しかしながら、ゴルフボールを穴に捕捉する機能と、ゴルフボールを跳ね返す機能とを兼ね備えた的具は、開発されていない。
また、両機能でパット練習したい場合、的具を複数準備するのは、広いスペースが必要となる欠点があり、持ち運びも困難となる。
【０００７】
本発明は上記事情に鑑みてなされたものであり、ゴルフボールを捕捉する機能と、ゴルフボールを跳ね返す機能とを兼ね備え、狭いスペースであっても用いることができ、且つ持ち運びも容易な的具を提供することを目的とする。
【課題を解決するための手段】
【０００８】
本発明者は、上記課題を解決するため鋭意検討したところ、ボール捕捉部の側面にボール当て部を起立して設けることにより、上記課題を解決し得ることを見出し、本発明を完成するに至った。
【０００９】
本発明の的具は、（１）パター練習用の的具であって、ボールを捕捉するボール捕捉部と、該ボール捕捉部の側面に起立して設けられたボール当て部と、を備える的具に存する。
【００１０】
本発明の的具は、（２）ボール捕捉部及びボール当て部が、ゴム部材によって一体に形成されており、ボール当て部の内部には、金属板が挿入されている上記（１）記載の的具に存する。
【００１１】
本発明の的具は、（３）ボールを効率良く跳ね返らせるために金属板が露出している上記（２）記載の的具に存する。
【００１２】
本発明の的具は、（４）ボール捕捉部が、基部と、該基部の略中央に設けられた底部と、該底部の周縁に起立して設けられた囲み壁部と、からなり、該囲み壁部が切り欠き状の入り口を有し、該入り口の側が低くなるように底部の少なくとも一部が傾斜しており、基部の側面にボール当て部が起立して設けられており、基部のボール当て部の反対側の周縁が外側に向かって傾斜している上記（１）〜（３）のいずれか一つに記載の的具に存する。
【００１３】
本発明の的具は、（５）底部の傾斜角度よりも基部の周縁の傾斜角度が大きい上記（４）記載の的具に存する。
【００１４】
本発明の的具は、（６）ボール当て部の側面が上面視弓状になっている上記（１）〜（５）のいずれか一つに記載の的具に存する。
【００１５】
本発明の的具は、（７）ボール当て部には、ゴルフボールを当てる面の幅を決めるスライド自在な一対の区画片が設けられている上記（１）〜（６）のいずれか一つに記載の的具に存する。
【００１６】
本発明の的具は、（８）金属板が着脱可能になっている上記（２）又は（３）に記載の的具に存する。
【発明の効果】
【００１７】
本発明の的具においては、ボール捕捉部がゴルフボールを捕捉する機能を果たし、ボール当て部がゴルフボールを跳ね返す機能を果たす。
すなわち、本発明の的具は、ゴルフボールを捕捉する機能と、ゴルフボールを跳ね返す機能とを兼ね備えている。
また、本発明の的具は、ボール捕捉部の側面にボール当て部が設けられているので、狭いスペースであっても異なるパット練習をすることができる。
さらに、コンパクトであるので、持ち運びも容易となる。
【００１８】
本発明の的具においては、ボール捕捉部及びボール当て部が、ゴム部材によって一体に形成されている場合、製造が容易である。
また、ボール当て部の内部に金属板を挿入することにより、ゴルフボールの跳ね返り度合いが大きくなるので、ゴルフボールが練習者の手元まで戻って来やすい。
このため、ゴルフボールを拾いに行く手間が省ける。
なお、金属板の側面が露出していると、跳ね返り度合いはさらに大きくなる。
【００１９】
このとき、金属板が着脱可能になっていることが好ましい。
この場合、金属板の交換が容易であり、且つ、ボール捕捉部及びボール当て部をゴム部材としてリサイクルすることも可能となる。
【００２０】
本発明の的具においては、入り口側が低くなるように底部の少なくとも一部が傾斜している場合、囲み壁部の入り口から進入し、捕捉されたゴルフボールが、底部の入り口側に転がってくることになり、取り出しやすい。
【００２１】
本発明の的具においては、基部の傾斜角度が、底部の傾斜角度よりも大きい場合、ゴルフボールが底部の傾斜を転がるスピードよりも、基部の傾斜を転がるスピードのほうが速くなる。
このため、ゴルフボールが底部の傾斜部を転がる際には、ゴルフボールがボール捕捉部に捕捉されたことを確実に視認することができ、基部の傾斜部を転がる際には、速やかに練習者の手元に転がってくることになる。
【００２２】
本発明の的具においては、ボール当て部の側面が中央から両端に向かって手前側に上面視弓状になっている場合、ボール当て部に当たり跳ね返ったゴルフボールが、略同じ位置に戻ってくるようになる。
このため、ゴルフボールを拾いに行く手間が省ける。
また、ボール当て部の側面が中央から両端に向かって手前側とは反対側に上面視弓状になっている場合、ボール当て部に当たり跳ね返ったゴルフボールは、ボール当て部の中央に当たらない限り、練習者の手元側に戻ってこないことになる。
このため、練習時にゴルフボールがボール当て部の中央に当たったかどうかの確認がしやすい。
【００２３】
本発明の的具においては、ボール当て部にゴルフボールを当てる面の幅を決めるスライド自在な一対の区画片が設けられている場合、区画片の幅を変えることにより、ボール当て部の的の大きさを調整できる。
このため、的の大きさを変えた練習が可能となる。
【図面の簡単な説明】
【００２４】
【図１】図１は、本発明に係る的具の第１実施形態を示す上面図である。
【図２】図２の（ａ）は、図１のＸ−Ｘ線で切断した断面図であり、（ｂ）は、図１のＹ−Ｙ線で切断した断面図であり、（ｃ）は、図２の（ａ）に示す的具におけるボール当て部の変更例を示す断面図である。
【図３】図３は、第１実施形態に係る的具を示す下面図である。
【図４】図４は、本発明に係る的具の第２実施形態を示す上面図である。
【図５】図５は、本発明に係る的具の第３実施形態を示す上面図である。
【図６】図６の（ａ）及び（ｂ）は、他の実施形態に係る的具において区画片をスライドさせた状態を示す斜視図であり、（ｃ）は、区画片の断面図である。
【発明を実施するための形態】
【００２５】
以下、図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２６】
［第１実施形態］
図１は、本発明に係る的具の第１実施形態を示す上面図である。
図１に示すように、第１実施形態に係る的具１００は、ボールを捕捉するボール捕捉部１０と、該ボール捕捉部１０の側面に起立して設けられたボール当て部２０と、を備える。
【００２７】
的具１００においては、ボール捕捉部１０が矢印Ａの方向に転がって来るゴルフボールを捕捉する機能を果たし、ボール当て部２０が矢印Ｂの方向に転がって来るゴルフボールを跳ね返す機能を果たす。
すなわち、的具１００は、ゴルフボールを捕捉する機能と、ゴルフボールを跳ね返す機能とを兼ね備えている。
したがって、第１実施形態に係る的具１００においては、例えば、的具１００を単に９０°回転させることにより、同じ位置から、異なるパット練習をすることができる。
このことにより、的具１００は、狭いスペースであっても用いることできる。
また、練習が終わって的具１００を収納する際には、ボール当て部２０の側面が下になるように的具１００を立てることにより、収納スペースが極めて少なくて済むことになる。
具体的には、壁とタンスの狭いすき間にも、立てた状態で収納しておくことができ便利である。
しかも後述するようにボール当て部２０に金属板Ｍが挿入されていると、重心が低くなるので倒れにくい。
【００２８】
的具１００において、ボール捕捉部１０及びボール当て部２０の材質としては、エラストマー、合成ゴム、天然ゴム等のゴム部材が挙げられる。
これらの中でも、弾力性の観点から、合成ゴムが好ましい。
【００２９】
ボール捕捉部１０及びボール当て部２０は、ゴム部材によって一体に形成されている。
この場合、圧縮成形、射出成形等により、容易に一体成形することが可能である。
また、的具１００は、極めてコンパクトとなるので、持ち運びも容易となる。
【００３０】
図２の（ａ）は、図１のＸ−Ｘ線で切断した断面図であり、（ｂ）は、図１のＹ−Ｙ線で切断した断面図である。
図２の（ａ）及び（ｂ）に示すように、ボール捕捉部１０は、基部１と、該基部１の略中央に設けられた底部２と、該底部の周縁に起立して設けられた囲み壁部３と、からなる。
したがって、基部１の側面にボール当て部２０が起立して設けられていることになる。
なお、囲み壁部３の頂端は一部切り欠きした円形状として、通常のカップ（ゴルフ穴）の大きさに形成されている。
【００３１】
基部１は、円盤状であり、基部１のボール当て部２０が設けられていない部分の周縁、すなわち、基部１のボール当て部２０の反対側の周縁が外側に向かって僅かに傾斜している。
このため、転がって来るゴルフボールが基部１上にスムーズに進入可能となっている。
【００３２】
図３は、第１実施形態に係る的具を示す下面図である。
図３に示すように、的具１００においては、基部１の裏面に、滑り止め用のライン状突起１ａが複数形成されている。
これにより、例えば、的具１００にゴルフボールが衝突しても、的具１００が移動してしまうことが防止される。
特に、ボール当て部２０の方向と同じ方向のライン状突起１ａである場合にはボール当て部にゴルフボールが衝突しても、より効率良くズレ移動が防止される。
【００３３】
図２の（ａ）に戻り、囲み壁部３は、底部２の周縁から内側に向かって傾斜状に起立して設けられている。
このため、捕捉されたゴルフボールは勢いで後方へ飛び出さない。
囲み壁部３は、図２の（ｂ）に示すように、ボール当て部の方向に切り欠き状の入り口３ａを有し、転がって来たゴルフボールを該入り口３ａから囲み壁部３に囲まれた底部２に進入させるようになっている。
【００３４】
ここで、底部２は、入り口３ａ側が低くなるように少なくとも一部の底部２が傾斜していることが好ましい（図省略）。
これにより、囲み壁部３の入り口３ａから進入し、一旦捕捉されたゴルフボールは、底部２の入り口３ａ側に転がり、更に基部１の周縁の傾斜を伝って外に転がり出る。
また、基部１の周縁の傾斜と、底部２の傾斜とは、境が面一になるように連続している。これにより、転がって来たゴルフボールは、基部１上に上がると共に、スムーズに底部２に到達する。
そして、一旦捕捉されたゴルフボールは、上述したように底部２の入り口３ａ側に戻るように転がり、さらに基部１の傾斜を利用して、練習者の手元方向に転がってくることになる。
【００３５】
このとき、的具１００は、基部１の傾斜角度が、底部２の傾斜角度よりも大きくなっていると、ゴルフボールが底部２の傾斜を転がり、更に基部１の傾斜を転がる際、勢いが増し練習者の手元に戻りやすい。
【００３６】
ボール当て部２０はそのゴルフボールが当たる面が基部１の側面に垂直に起立するように設けられている。
したがって、ボール当て部２０に当てられたゴルフボールは、跳ね返されることになる。
【００３７】
ボール当て部２０は、図２の（ａ）に示すように、内部に金属板Ｍが挿入されている。
これにより、垂直に起立したボール当て部２０が剛体化され、それに当てたゴルフボールは、跳ね返り度合いが大きくなる。
このため、ゴルフボールが練習者の手元方向に転がりやすい。
また金属板Ｍを断面Ｌ字型にするとボール当て部２０の垂直度が確実に保持される。  お、かかる金属板Ｍの材質は、特に限定されない。
また、金属板Ｍの重量に基づいて、的具１００の位置が安定して固定される。
これにより、ゴルフボールが衝突したとしても、その衝撃で的具１００が移動することを確実に防止できる。
【００３８】
また図２の（ｃ）に示すように、金属板Ｍは、ボールを効率良く跳ね返らせるために、ゴルフボールの当たる部分である衝突面Ｍ１を露出していることが好ましい。
この場合、ゴルフボールが金属板Ｍに直接衝突することになるので、跳ね返り度合いはさらに大きくなる。
ここで、金属板Ｍが露出している場合でもその衝突面Ｍ１に肉薄のゴム部材等の薄膜が形成されていると防錆等の観点から有用である。
【００３９】
的具１００において、金属板Ｍは、ボール当て部２０に一体に埋め込まれているが、着脱可能としてもよい。
着脱可能にすることで金属板Ｍを交換することができる。
この場合、ボール捕捉部及びボール当て部と分離してリサイクルすることが可能となる。
【００４０】
以上のように、的具１００は、ボール捕捉部１０と該ボール捕捉部１０の側面に起立して設けられたボール当て部２０とを備えるので、カップインや跳ね返りによる打つ方向性の練習をすることができる。
なお、ボール当て部２０をパットの方向に合わせて配置することにより必然的にボール捕捉部１０の入り口３ａが正面を向くことになる。
また、金属板Ｍの荷重により安定して位置が定まるので強いパットの練習も可能となる。
さらに、的具１００をボール当て部２０を下にして立てた状態にできるので収納に便利である。
【００４１】
［第２実施形態］
図４は、本発明に係る的具の第２実施形態を示す上面図である。
図４に示すように、第２実施形態に係る的具１１０は、ボール当て部２１の形状が異なること以外は、第１実施形態に係る的具１００と同じである。
【００４２】
第２実施形態に係る的具１１０のボール当て部２１は、側面が上面視弓状になっている。
具体的には、ボール当て部２１の側面が中央から両端に向かって使用者の手前側の方向に湾曲している。
したがって、ボール当て部２１に当たり跳ね返ったゴルフボールは、図４の矢印Ｐに示すようにボール当て部２１の中央に（真ん中に）当たれば、真っ直ぐに戻り、少しズレて当たれば、内側に角度を付けて戻る。
これにより、跳ね返りによる打つ方向性の練習がより効果的に行えることになる。
【００４３】
［第３実施形態］
図５は、本発明に係る的具の第３実施形態を示す上面図である。
図５に示すように、第３実施形態に係る的具１２０は、ボール当て部２２の形状が異なること以外は、第１実施形態に係る的具１００と同じである。
【００４４】
第３実施形態に係る的具１２０のボール当て部２２は、側面が上面視弓状になっている。
具体的には、ボール当て部２２の側面が中央から両端に向かって使用者の手前側とは反対側の方向に湾曲している。
したがって、ボール当て部２２に当たり跳ね返ったゴルフボールは、図５の矢印Ｑに示すように、ボール当て部２２の中央に当たらない限り、外側に角度をつけて戻る。
【００４５】
以上、本発明の好適な実施形態について説明したが、本発明は上記実施形態に限定されるものではない。
【００４６】
例えば、第１実施形態に係る的具１００において、ボール当て部２０には、ゴルフボールを当てる面の幅を決めるスライド自在な一対の区画片が設けられていてもよい。
図６の（ａ）及び（ｂ）は、他の実施形態に係る的具において区画片をスライドさせた状態を示す斜視図であり、（ｃ）は、区画片の断面図である。
図６の（ａ）及び（ｂ）に示すように、他の実施形態に係る的具１０１は、ボール当て部２０に一対の区画片２５が設けられている。
【００４７】
的具１０１においては、区画片２５をスライドさせることにより、ボール当て部２０にゴルフボールを当てる面の幅を調整することができる。
例えば、ボール当て部２０にカップの大きさ（幅）に相当する目印線Ｓを形成しておき、図６の（ａ）に示すように区画片２５を目印線Ｓの外側に配置した状態、図６の（ｂ）に示すうに区画片２５を目印線Ｓの内側にスライドさせ配置した状態にでき、区画片２５間の幅を変えることにより、ボール当て部２０の的の大きさを調整できる。
このため、的の大きさを変えた難易度の異なる練習が可能となる。
当然、区画片２５のない状態であれば標準の幅となる。
【００４８】
ここで、区画片２５は、図６の（ｃ）に示すように、鉤状の引っ掛け部２５ａを備え、該引っ掛け部２５ａをボール当て部２０に引っ掛けることにより、簡単に取付けられる。
【００４９】
第１〜３実施形態に係る的具において、囲み壁部３に設けられる切り欠き状の入り口の位置は、転がって来るゴルフボールを捕捉可能であれば、特に限定されない。
したがって、ボール当て部２０の面とは垂直な方向から転がって来るゴルフボールを捕捉可能な位置に入り口を設けてもよい。
【００５０】
第１〜３実施形態に係る的具において、ボール当て部２０は、内部に断面Ｌ字型の金属板Ｍが挿入されているが、必ずしも挿入されていなくてもよい。
また、挿入される金属板Ｍの形状は、断面Ｌ字型に限定されず、平板状であってもよい。
さらに、ボール当て部２０は、ゴルフボールが当たる面が垂直に起立して形成される以外に、傾斜状に起立して形成することも可能である。
この場合は、それに合わせて断面Ｌ字型の金属板Ｍの衝突面の角度を変えるとよい。
【産業上の利用可能性】
【００５１】
本発明に係る的具は、ゴルフのパッティングの練習のための的として好適に利用される。
本発明に係る的具によれば、ゴルフボールを捕捉する機能と、ゴルフボールを跳ね返す機能とを兼ね備え、狭いスペースであっても用いることができ、且つ持ち運びも容易となる。
なお、上記的具は、室内外で使用可能である。
【符号の説明】
【００５２】
１・・・基部
１ａ・・・ライン状突起
２・・・底部
３・・・囲み壁部
３ａ・・・入り口
１０・・・ボール捕捉部
２０，２１，２２・・・ボール当て部
２５・・・区画片
２５ａ・・・引っ掛け部
１００，１０１，１１０，１２０・・・的具
Ａ，Ｂ，Ｐ，Ｑ・・・矢印
Ｍ・・・金属板
Ｍ１・・・衝突面
Ｓ・・・目印線
【図１】
2012090738.tif 000003
【図２】
2012090738.tif 000004
【図３】
2012090738.tif 000005
【図４】
2012090738.tif 000006
【図５】
2012090738.tif 000007
【図６】
2012090738.tif 000008